(57)【特許請求の範囲】
【請求項１】
四角筒状の胴部の開放端縁に連設されて互いに対向する一対の内フラップを、該胴部の開放端を覆うように折り曲げ、胴部の開放端縁に連設されて両内フラップの対向方向に直交して互いに対向する一対の外フラップを、両内フラップの外面を覆うように折り曲げると共に両外フラップの先端縁同士を突き当てて該胴部の開放端を閉塞し、両外フラップの先端縁同士を突き当てた突き当て部に沿って所定幅の紙製粘着テープを貼着することにより封止される段ボール箱において、
少なくとも一方の前記外フラップに、前記粘着テープから露出する位置に手指を挿入可能とする破断開始部と、該破断開始部の一端から前記突き当て部に向かって形成されて該突き当て部に対して傾斜して延びる第１のミシン目と、前記破断開始部の他端から前記突き当て部に向かって形成されて前記第１のミシン目と同じ方向に傾斜して延びる第２のミシン目と、前記第１のミシン目及び前記第２のミシン目が破断されることにより、前記破断開始部から前記突き当て部に対して傾斜する方向に破断が進行して該外フラップの一部から切除される第１切除可能片と、該第１切除可能片が切除されたときの切断端縁から前記突き当て部に向かって形成されて前記第１のミシン目及び前記第２のミシン目と反対方向に傾斜して延びる第３のミシン目と、該第３のミシン目が破断されることにより、前記第１切除可能片が切除された後の切断端縁から前記突き当て部に向かって該第１切除可能片の反対方向に傾斜しつつ破断が進行して該外フラップの一部から切除される第２切除可能片とを設けたことを特徴とする段ボール箱。
【請求項２】
請求項１記載の段ボール箱において、
前記破断開始部、前記第１切除可能片、及び前記第２切除可能片は、両外フラップの先端縁同士を突き当てた突き当て部を対称軸として線対称となるように両外フラップに設けられていることを特徴とする段ボール箱。
【請求項３】
請求項１又は２記載の段ボール箱であって、前記一対の内フラップを前記胴部の開放端を覆うように折り曲げたとき、一方の内フラップの先端縁と他方の内フラップの先端縁との間に間隙が形成されるものにおいて、
前記破断開始部は、前記間隙に対応する位置に設けられていることを特徴とする段ボール箱。
【発明の詳細な説明】
【技術分野】
【０００１】
本発明は、物品の包装に用いられ、物品を収容してフラップを閉じた後に紙製粘着テープにより封止される段ボール箱に関する。
【背景技術】
【０００２】
一般に、四角筒状の胴部の開放端縁に連設されて互いに対向する一対の内フラップを、該胴部の開放端を覆うように折り曲げ、次いで、胴部の開放端縁に連設されて両内フラップの対向方向に直交して互いに対向する一対の外フラップを、両内フラップの外面を覆うように折り曲げると共に両外フラップの先端縁同士を突き当てて該胴部の開放端を閉塞する段ボール箱においては、両外フラップの先端縁同士を突き当てた突き当て部に沿って所定幅の紙製粘着テープを貼着することにより封止される。
【０００３】
この種の段ボール箱においては、粘着テープをカッター等の刃具を用いて破断することにより開封されるが、段ボール箱の内部に収納されている物品が刃具により損傷するおそれがあるため、カッター等の刃具を用いることなく手作業で粘着テープを破断或いは除去することが望ましい。しかし、粘着テープは段ボール箱の外フラップに強固に貼着されているために、手作業による粘着テープの破断や除去は極めて煩わしい。
【０００４】
そこで、従来、一方の外フラップの略中央部から切除される切除可能片と、他方の外フラップの略中央部から切除される切除可能片とを設けて、両切除可能片を切除することにより前記突き当て部から粘着テープを剥離させるようにしたものが知られている（下記特許文献１参照）。
【０００５】
このものでは、一方の外フラップの切除可能片と他方の外フラップの切除可能片とが、互いに位置をずらして隣接するように設けられている。そして、先ず、一方の切除可能片を切除することにより他方の切除可能片側で粘着テープを破断分割し、前記突き当て部の一方に向かって粘着テープを引き剥がす。次いで、他方の切除可能片を切除することにより残りの粘着テープを前記突き当て部の他方に向かって引き剥がす。こうすることにより、カッター等の刃具を用いることなく容易に粘着テープを除去して開封することができる。
【先行技術文献】
【特許文献】
【０００６】
【特許文献１】特開平９−２４０６６０号公報（段落００１８、及び図６）
【発明の概要】
【発明が解決しようとする課題】
【０００７】
しかしながら、上記特許文献１のものでは、一方の切除可能片を切除する際に、切除可能片の操作を誤ると、他方の切除可能片側と反対側から粘着テープが破断分割してしまう場合がある。この場合には、一方の切除可能片と共に引き剥がすべき正しい方向とは反対側に向かって粘着テープを引き剥がすことになり、これに追従して他方の切除可能片に貼着されている粘着テープが剥離してしまうために、次いで他方の切除可能片を切除しても、突き当て部の残り半分の範囲に残留する粘着テープを他方の切除可能片と共に剥離させることができなくなる不都合がある。
【０００８】
上記の点に鑑み、本発明は、外フラップの突き当て部の全長にわたって円滑に粘着テープを引き剥がすことができ、開封作業を効率よく行うことができる段ボール箱を提供することを目的とする。
【課題を解決するための手段】
【０００９】
本発明は、四角筒状の胴部の開放端縁に連設されて互いに対向する一対の内フラップを、該胴部の開放端を覆うように折り曲げ、胴部の開放端縁に連設されて両内フラップの対向方向に直交して互いに対向する一対の外フラップを、両内フラップの外面を覆うように折り曲げると共に両外フラップの先端縁同士を突き当てて該胴部の開放端を閉塞し、両外フラップの先端縁同士を突き当てた突き当て部に沿って所定幅の紙製粘着テープを貼着することにより封止される段ボール箱において、少なくとも一方の前記外フラップに、前記粘着テープから露出する位置に手指を挿入可能とする破断開始部と、該破断開始部の一端から前記突き当て部に向かって形成されて該突き当て部に対して傾斜して延びる第１のミシン目と、前記破断開始部の他端から前記突き当て部に向かって形成されて前記第１のミシン目と同じ方向に傾斜して延びる第２のミシン目と、前記第１のミシン目及び前記第２のミシン目が破断されることにより、前記破断開始部から前記突き当て部に対して傾斜する方向に破断が進行して該外フラップの一部から切除される第１切除可能片と、該第１切除可能片が切除されたときの切断端縁から前記突き当て部に向かって形成されて前記第１のミシン目及び前記第２のミシン目と反対方向に傾斜して延びる第３のミシン目と、該第３のミシン目が破断されることにより、前記第１切除可能片が切除された後の切断端縁から前記突き当て部に向かって該第１切除可能片の反対方向に傾斜しつつ破断が進行して該外フラップの一部から切除される第２切除可能片とを設けたことを特徴とする。
【００１０】
本発明の段ボール箱は、次のようにして粘着テープを引き剥がして容易に開封することができる。先ず、前記破断開始部に手指を挿入し、該破断開始部を介して前記第１切除可能片の先端を摘んだ状態で、該第１切除可能片を引き上げる。該第１切除可能片が外フラップから分離する際には、該第１切除可能片の切除に伴い粘着テープが破断され、該第１切除可能片が外フラップから分離したときには、該第１切除可能片に粘着テープの破断端部が張り付いた状態で該第１切除可能片と共に外フラップから引き剥がされる。
【００１１】
このとき、該第１切除可能片は第２切除可能片と破断分割され、第１切除可能片と第２切除可能片とに連続して貼着されている粘着テープは、第２切除可能片に対する第１切除可能片の破断分割に追従して第１切除可能片に貼着されている部分と第２切除可能片に貼着されている部分とで破断分割される。
【００１２】
そして、第１切除可能片は突き当て部に対して傾斜する方向に破断が進行するので、粘着テープは、該第１切除可能片の破断が進行する方向と同じ方向に破断され、第２切除可能片から遠ざかる方向に剥離が進行する。
【００１３】
一方、第１切除可能片と共に剥離されて残留する残りの粘着テープが第２切除可能片に貼着された状態となる。そこで、第１切除可能片が切除された後の切断端縁を手掛かりとして第２切除可能片を切除する。これにより、残りの粘着テープが第２切除可能片と共に剥離され、突き当て部の全長にわたる粘着テープの剥離が完了する。
【００１４】
このように、本発明によれば、粘着テープの引き剥がし方向を誤ることなく円滑に剥離作業が行え、迅速且つ確実に開封作業を行うことができる。
【００１５】
また、本発明において、前記破断開始部、前記第１切除可能片、及び前記第２切除可能片は、両外フラップの先端縁同士を突き当てた突き当て部を対称軸として線対称となるように両外フラップに設けられていることが好ましい。
【００１６】
これにより、何れか一方の外フラップに設けられた破断開始部を選択して第１切除可能片の切除を開始させることができ、作業者の作業し易い方向からの粘着テープの引き剥がし作業が行える。従って、粘着テープの引き剥がし方向を所望の方向に合わせるために、段ボール箱の向きや作業者の姿勢を変えることなく円滑に段ボール箱の開封作業が行え、また、作業者の利き手が何れであっても容易に開封作業が行えるので、開封時の作業性を向上させることができる。
【００１７】
また、本発明において、前記一対の内フラップを前記胴部の開放端を覆うように折り曲げたとき、一方の内フラップの先端縁と他方の内フラップの先端縁との間に間隙が形成されるものにおいて、前記破断開始部は、前記間隙に対応する位置に設けられていることが好ましい。これによれば、前記破断開始部の内側に内フラップが密着することがなく、該破断開始部への手指の挿入を円滑に行うことができ、開封時の作業性を向上させることができる。
【図面の簡単な説明】
【００１８】
【図１】本発明の実施形態の段ボール箱を示す説明的斜視図。
【図２】本実施形態の段ボール箱の要部を示す説明的平面図。
【図３】本実施形態の段ボール箱の開封作業を示す説明図。
【図４】図３に続く開封作業を示す説明図。
【発明を実施するための形態】
【００１９】
本発明の一実施形態を図面に基づいて説明する。図１に示すように、本実施形態の段ボール箱は、閉塞された底部を有する四角筒状の胴部１を備え、該胴部１の内部に図示しない被包装物を収容した後、一対の内フラップ２，３と一対の外フラップ４，５とにより天部６が閉塞されるものである。
【００２０】
即ち、内フラップ２，３は、胴部１の一部を構成して前後方向に対向する各側板７，８の上縁に折り目線９，１０を介して連設されており、外フラップ４，５は、胴部１の一部を構成して左右方向に対向する各側板１１，１２の上縁に折り目線１３，１４を介して連設されている。
【００２１】
天部６を閉塞するときには、先ず、一対の内フラップ２，３を折り目線９，１０により互いに内方に折り曲げて水平とする。このとき、両内フラップ２，３の互いに向き合う先端縁の間には間隙が形成される。次いで、一対の外フラップ４，５を折り目線１３，１４により互いに内方に折り曲げて内フラップ２，３上に重合させる。これにより、両外フラップ４，５の先端縁が互いに突き当てられ（突き当て部１５）、天部６が閉塞される。その後、突き当て部１５に沿って粘着テープ１６（図１において仮想線示する）を貼着し、天部６が封止される。
【００２２】
粘着テープ１６は、裏面に接着剤が塗布された所定幅の紙製粘着テープであり、カッター等の刃具を用いなくても作業者が破くことができるものとしてクラフトテープ、ガムテープ等の周知のものが用いられる。
【００２３】
本実施形態の段ボール箱には、図１及び図２に示すように、本発明の要旨に係るテープ切断操作部１７，１８が設けられている。該テープ切断操作部１７，１８は、両外フラップ４，５に夫々設けられ、破断開始部１９と、第１切除可能片２０と、第２切除可能片２１とで構成されている。
【００２４】
図２に示すように、破断開始部１９は、半円形状の切れ目線２２により形成され、手指が挿入可能とされている。
【００２５】
第１切除可能片２０は、破断開始部１９の切れ目線２２の一端に連なって突き当て部１５に対して一方向に傾斜して延びる第１のミシン目２３（破断可能線）と、破断開始部１９の切れ目線２２の他端に連なってその殆どが第１のミシン目２３と同一方向に延びる第２のミシン目２４（破断可能線）とにより外フラップ４，５から切除可能に設けられている。
【００２６】
第２切除可能片２１は、前記第１切除可能片２０と共通の第２のミシン目２４（破断可能線）と、破断開始部１９の切れ目線２２の他端に連なって第１のミシン目２３と反対方向に傾斜して延びる第３のミシン目２５（破断可能線）とにより外フラップ４，５から切除可能に設けられている。
【００２７】
更に、破断開始部１９は、突き当て部１５に貼着された粘着テープ１６から露出する位置であって、且つ、胴部１上に折り曲げた両内フラップ２，３間の間隙に対応する位置に設けられている。
【００２８】
そして、破断開始部１９、第１切除可能片２０、及び第２切除可能片２１を備える両テープ切断操作部１７，１８は、突き当て部１５を対称軸として線対称となるように両外フラップ４，５に設けられている
以上の構成による本実施形態の段ボール箱においては、次のようにして粘着テープ１６を引き剥がし開封する。即ち、先ず、テープ切断操作部１７，１８のうち何れか一方（以下、テープ切断操作部１７を用いた例を示す）の破断開始部１９に手指を挿入する。このとき、破断開始部１９が両内フラップ２，３の互いに向き合う先端縁間の間隙に対応する位置に設けられているので、破断開始部１９に挿入した手指が内フラップ２，３に突き当たることなく、円滑な挿入操作が行える。
【００２９】
次いで、破断開始部１９を摘むようにして第１切除可能片２０を引き上げると、図３に示すように、突き当て部１５に対して傾斜する方向に第１のミシン目２３及び第２のミシン目２４の破断が進行し、第１切除可能片２０に貼着された粘着テープ１６が第２切除可能片２１側で破断され分割されると共に、分割された粘着テープ１６が貼着状態にある第１切除可能片２０が外フラップ４から離反する。これにより、破断分割された粘着テープ１６の一方が第１切除可能片２０と共に除去される。
【００３０】
次いで、第２のミシン目２４による破断端縁を手掛かりとして第２切除可能片２１を引き上げると、図４に示すように、突き当て部１５に対して第１切除可能片２０と反対側に傾斜する方向に第３のミシン目２５の破断が進行し、第２切除可能片２１と共に残りの粘着テープ１６が引き剥がされる。これにより、破断分割された残りの粘着テープ１６が第２切除可能片２１と共に除去される。
【００３１】
このように、破断開始部１９、第１切除可能片２０、及び第２切除可能片２１の操作により、粘着テープ１６の引き剥がし方向を誤ることなく円滑に剥離作業が行え、突き当て部１５の全長にわたる粘着テープ１６の剥離を迅速且つ確実に行うことができるので、開封作業を容易に行うことができる。
【００３２】
上記説明においては、一方のテープ切断操作部１７を用いて開封操作を行った例を示しているが、他方のテープ切断操作部１８を用いることもでき、作業者の利き手に応じた作業し易さを考慮して何れか一方を選択することができる。
【００３３】
なお、本実施形態においては、外フラップ４にテープ切断操作部１７を設け、外フラップ５にテープ切断操作部１８を設けたものを示したが、図示しないが、一方の外フラップにのみテープ切断操作部を設けてもよい。
【００３４】
また、本実施形態においては、両内フラップ２，３の先端縁間に形成される間隙に対応する位置に破断開始部１９を設けたことにより、破断開始部１９への手指の挿入を円滑に行えるものを示したが、これに限るものではなく、内フラップ２又は内フラップ３に対応する位置に破断開始部１９を設けてもよい。この場合には、内フラップ２又は内フラップ３によって破断開始部１９に手指を挿入し難くなるおそれがあるが、外フラップ４，５や内フラップ２，３の撓みを利用すれば、破断開始部１９への手指の挿入は可能であり、開封作業を支障なく行うことができる。
【００３５】
また、本実施形態においては、一対の内フラップ２，３と一対の外フラップ４，５とにより閉塞される天部６を粘着テープ１６により封止した段ボール箱を示したが、図示しないが、底部も同様に閉塞されるものにあっては、底部を閉塞する外フラップにも同様に上記テープ切断操作部１７，１８の構成を採用することができる。
【符号の説明】
【００３６】
１…胴部、２，３…内フラップ、４，５…外フラップ、１５…突き当て部、１６…粘着テープ、１９…破断開始部、２０…第１切除可能片、２１…第２切除可能片、２３…第１のミシン目、２４…第２のミシン目、２５…第３のミシン目。
【図１】
0005393630.tif 000002
【図２】
0005393630.tif 000003
【図３】
0005393630.tif 000004
【図４】
0005393630.tif 000005